(57)【要約】【課題】非常灯のような照明機能を備える。【解決手段】二灯直列逐次始動形の蛍光灯器具１００の一方の対のソケット２５，２５間に蛍光管３０を、他方の対のソケット２６，２６間に通電回路と白色ＬＥＤ４８ａ〜４８ｄとを含んだダミー管２０をセットする。前記通電回路により、前記他方の対のソケット２６，２６間は接続される。また、前記白色ＬＥＤ４８ａ〜４８ｄが周囲の暗転に伴って点灯する。【選択図】図１
2006012674.tif 000002
【特許請求の範囲】
【請求項１】
一方の対のソケットの間に蛍光管がセットされた二灯直列逐次始動形の蛍光灯器具の他方の対のソケットの間にセットされるダミー管であって、
前記他方の対のソケットの間を接続する通電手段と、
周囲の暗転に伴って発光する発光手段と、
を備えたダミー管。
【請求項２】
前記発光手段は、
点灯手段を有する点灯回路と、
前記点灯回路に電気を供給する電源回路と、
検出した光量が所定値よりも小さい時に前記電源回路と前記点灯回路とを通電させる光量検出回路と、
を備えた請求項１に記載のダミー管。
【請求項３】
前記電源回路は、前記他方の対のソケットから供給される電気を充電する電池を含んでなる請求項２に記載のダミー管。
【請求項４】
前記電源回路は、前記他方の対のソケットから供給される電気を充電する二重層キャパシタを含んでなる請求項２に記載のダミー管。
【請求項５】
前記電源回路は、太陽電池を含んでなる請求項２に記載のダミー管。
【請求項６】
前記点灯手段は、ＬＥＤである請求項２乃至５のいずれかに記載のダミー管。
【請求項７】
前記点灯回路と前記電源回路との通電を強制的にオン・オフするスイッチが、前記点灯回路と前記電源回路との間に設けられている請求項２乃至６のいずれかに記載のダミー管。
【請求項８】
前記通電手段は、電解コンデンサーと、ダイオードの組を有しており、
前記ダイオードは、前記電解コンデンサーと並列に接続されて前記電解コンデンサーに逆方向の電圧がかからないようにする請求項１乃至７のいずれかに記載のダミー管。
【請求項９】
前記通電手段は、前記電解コンデンサーと前記ダイオードの組を２つ含み、前記電解コンデンサーは、互いに極性を逆にして直列に接続されている請求項８に記載のダミー管。
【請求項１０】
請求項１乃至９のいずれかに記載のダミー管がセットされた二灯直列逐次始動形の蛍光灯器具。
【発明の詳細な説明】
【技術分野】
【０００１】
本発明は、二灯直列逐次始動形の蛍光灯器具にセットされるダミー管及びそのダミー管がセットされた二灯直列逐次始動形の蛍光灯器具に関する。
【背景技術】
【０００２】
オフィス、店舗、工場等では天井に多数の照明器具を取付けて室内全体を照明することがよく行われているが、照明器具には蛍光灯器具、例えば二灯用蛍光灯器具がよく用いられている。かかる二灯用蛍光灯器具には並列式と直列式とがあるが、性能及び価格の点で優れている直列式が普及しているのが実情である。二灯直列逐次始動形の蛍光灯器具は、蛍光管が二灯装着されることで点灯し、装着される蛍光管が一灯であれば点灯しない。
【０００３】
特許文献１には、二灯直列逐次始動形の蛍光灯器具に装着する二灯の蛍光管のうち一灯を、通電するが点灯しないダミー管（登録商標名：カットワン、登録第４７１８３３２号）に取り替えることで、一灯の蛍光管のみを点灯させることを可能にし、好ましくは通常の蛍光管よりも消費電力が小さい低電力蛍光管を用いることで、照度を削ぐことなく省エネを図ることができる蛍光灯器具が開示されている。
【０００４】
【特許文献１】特開２０００−２０８２８３号公報
【発明の開示】
【発明が解決しようとする課題】
【０００５】
かかるダミー管は点灯しないが、照明機能、例えば、蛍光灯の消灯等により暗転した室内を照らす非常灯のような機能を持たせることが便利であると、本発明者らは考えた。
【０００６】
本発明の目的は、非常灯のような照明機能を備えたダミー管及びそのダミー管がセットされた二灯直列逐次始動形の蛍光灯器具を提供することである。
【課題を解決するための手段及び効果】
【０００７】
本発明者らは、二灯直列逐次始動形の蛍光灯器具の他方の対のソケット間を接続する通電手段の両端子には安定器により３Ｖの電圧が掛かっていることに着目した。この３Ｖの電圧を利用して周囲の暗転に伴って発光する発光手段を発光させると、前記発光手段を発光させるための他の電源手段を用いる必要がない。前記蛍光灯器具を点灯させるための電源のみあれば良い。その結果、省エネルギーを図りつつ、蛍光灯の消灯等により暗転した室内を所定時間照らす非常灯のような機能を持つ発光手段を備えさせることができると考えた。
本発明のダミー管は、一方の対のソケットの間に蛍光管がセットされた二灯直列逐次始動形の蛍光灯器具の他方の対のソケットの間にセットされるダミー管であって、前記他方の対のソケットの間を接続する通電手段と、周囲の暗転に伴って発光する発光手段と、を備える。
【０００８】
本発明のダミー管によると、通電手段により一灯の蛍光管を点灯させることができるとともに、発光手段が周囲の暗転に伴って発光して周囲を照らすため、周囲の状況が認識できる。
【０００９】
本発明のダミー管においては、前記発光手段は、点灯手段を有する点灯回路と、前記点灯回路に電気を供給する電源回路と、検出した光量が所定値よりも小さい時に前記電源回路と前記点灯回路とを通電させる光量検出回路と、を備えることが好ましい。これによると、光量検出回路が検出した光量に基づいて点灯手段が自動で点灯されるため、人間によるマニュアル操作を必要とせず、便利である。
【００１０】
本発明のダミー管においては、前記電源回路は、前記他方の対のソケットから供給される電気を充電する電池を含んでなることが好ましい。これによると、蛍光灯器具に通電する電気を利用して電池を充電することができる。また、この電池により、停電時に点灯手段を所定の時間点灯させることが可能になる。
【００１１】
本発明のダミー管においては、前記電源回路は、前記他方の対のソケットから供給される電気を充電する二重層キャパシタを含んでなることが好ましい。これによると、蛍光灯器具に通電する電気を利用して二重層キャパシタを充電することができる。また、この二重層キャパシタにより、停電時に点灯手段を所定の時間点灯させることが可能になる。
【００１２】
本発明のダミー管においては、前記電源回路は、太陽電池を含んでなることが好ましい。これによると、蛍光管の光によって太陽電池を充電することができ、省エネが図れる。また、この太陽電池により、停電時に点灯手段を所定の時間点灯させることが可能になる。
【００１３】
本発明のダミー管においては、前記点灯手段は、ＬＥＤであることが好ましい。これによると、エネルギー効率の良い点灯手段とできる。
【００１４】
本発明のダミー管においては、前記点灯回路と前記電源回路との通電を強制的にオン・オフするスイッチが、前記点灯回路と前記電源回路との間に設けられていることが好ましい。これによると、人間のマニュアル操作により点灯手段を点けたり消したりできる。
【００１５】
本発明のダミー管においては、前記通電手段は、電解コンデンサーと、ダイオードの組を有しており、前記ダイオードは、前記電解コンデンサーと並列に接続されて前記電解コンデンサーに逆方向の電圧がかからないようにすることが好ましい。これによると、電解コンデンサーとダイオードとが並列に接続されて、電解コンデンサーが絶縁破壊を起こさないようにダイオードにより保護されているため、ダミー管全体の耐久性が保障される。
【００１６】
本発明のダミー管においては、前記通電手段は、前記電解コンデンサーと前記ダイオードの組を２つ含み、前記電解コンデンサーは、互いに極性を逆にして直列に接続されていることが好ましい。これによると、一般に供給される交流電流を常時ダミー管に通電できる。
【００１７】
本発明の二灯直列逐次始動形の蛍光灯器具は、前記ダミー管がセットされている。
【００１８】
本発明の二灯直列逐次始動形の蛍光灯器具によると、一灯の蛍光管を好適に点灯させることができるとともに、ダミー管を適時に点灯させることもできる。
【発明を実施するための最良の形態】
【００１９】
以下、図面を参照しつつ、本発明に係る実施形態について説明する。
【００２０】
本発明の実施形態に係る二灯直列逐次始動形の蛍光灯器具の構成を図１に基づいて説明する。図１（ａ）は蛍光灯器具の仰視図であり、図１（ｂ）は図１（ａ）のＡ−Ａ’断面図である。蛍光灯器具１００は、一方の対のソケット２５，２５間にセットされた蛍光管３０と、他方の対のソケット２６，２６間にセットされたダミー管２０と、かさ部２４と、反射板２８とを有する。
【００２１】
蛍光管３０は、通常の蛍光管であっても、ラピッドスタート用の蛍光管であっても良いが、高性能の三波長蛍光管が好ましい。両端に２本のコンタクトピンが突設された口金部を有し、それぞれの口金部内には２本のコンタクトピンを接続するフィラメントが設けられている。両端に設けられたそれぞれの口金部の２本のコンタクトピンを蛍光灯器具１００の一方の対のソケット２５，２５にそれぞれ挿し込むことで、蛍光管３０は蛍光灯器具１００にセットされる。
【００２２】
かさ部２４は、トラフ型、逆富士型、埋め込み型等、どのような形状であっても良い。図１においては逆富士型のかさ部が図示されている。
【００２３】
反射板２８は、Ｃ字型に湾曲して、内面が鏡面処理された板であり、例えば磁石２７によりかさ部２４に持着・支持される。そして、蛍光管３０から発せられる光を反射して、下方への照度をアップさせる。反射板２８はアルミ系合金等を用いて作製される。
【００２４】
ダミー管２０は見栄えの点を考慮して、蛍光管３０と同形状の外観を有することが好ましい。図１（ａ）において、ダミー管２０の表面には後述する白色ＬＥＤ（点灯手段）４８ａ〜４８ｄ、及び、スイッチ６１が露出している。図２はダミー管の断面図である。ダミー管２０は、口金部１２，１３と、管１４と、通電手段と、発光手段と、管１４の外部に露出したスイッチ６１とを有する。通電手段は通電回路２１を有する。発光手段は、電源回路３１と、点灯回路４１と、光量検出回路５１とを有し、これら回路は回路基板１０に形成されている。図２においては、点灯回路４１を構成する白色ＬＥＤ４８ａ〜４８ｄが管１４であって、口金部１２近傍に連なって凸設された状態が図示されている。また、電源回路３１を構成する電池３３ａ，３３ｂが図示されている。ここで、図示するのを省略したが、スイッチ６１と白色ＬＥＤ４８ａ〜４８ｄとは、導線により回路基板１０にそれぞれ接続されている。
【００２５】
口金部１２，１３は、前記管１４の両端に設けられており、通常の蛍光管に用いられるものであって良い。口金部１２には第１，第２コンタクトピン１１ａ，１１ｂが、口金部１３には第３，第４コンタクトピン１１ｃ，１１ｄが、それぞれ突設されている。ダミー管２０が蛍光灯器具１００にセットされるとき、第１〜第４コンタクトピン１１ａ〜１１ｄは、二灯直列逐次始動形の蛍光灯器具１００の他方の対のソケット２６，２６に挿し込まれる。
【００２６】
第１コンタクトピン１１ａと第３コンタクトピン１１ｃとは、通電回路２１を構成しており、他方の対のソケット２６，２６に挿し込まれることで、ソケット２６，２６間を通電させる。第２コンタクトピン１１ｂは、第１コンタクトピン１１ａとともに、回路基板１０に形成された電源回路３１に商業用交流電流を供給する。第４コンタクトピン１１ｄは、ダミー管２０をソケット２６にセットするために設けられており、電流の出入りはない。
【００２７】
管１４は、隣接する蛍光管３０からの熱に耐えることが可能な範囲で耐熱性を有し、且つ、後述するＣｄｓセルが周囲の光量を検出可能な範囲で透光性を有する。管１４はポリスチレン等の合成樹脂材料で製作される。
【００２８】
通電回路２１は、第１コンタクトピン１１ａ、第３コンタクトピン１１ｃ、温度フューズ７、第１電解コンデンサー２、第２電解コンデンサー３、第１ダイオード４、第２ダイオード５が、導線１によって接続されることで構成されている。耐熱チューブ１５は、第１電解コンデンサー２と、第２電解コンデンサー３と、第１ダイオード４と、第２ダイオード５とを収納し、これらを隣接する蛍光管３０の熱から保護している。
【００２９】
図３はダミー管の回路図である。通電回路２１は、口金部１２の第１コンタクトピン１１ａと、口金部１３の第３コンタクトピン１１ｃとを接続する導線１の中程に設けられている。また、電源回路３１、点灯回路４１、光量検出回路５１、スイッチ６１は、口金部１２側から口金部１３側に向って電源回路３１、スイッチ６１、光量検出回路５１、点灯回路４１の順に連結して接続されており、最も口金部１２側寄りの電源回路３１は、口金部１２の第１コンタクトピン１１ａと第２コンタクトピン１１ｂとに接続している。
【００３０】
通電回路２１において、第１ダイオード４は、第１電解コンデンサー２と並列に接続されている。第１ダイオード４のカソード側が第１電解コンデンサー２の正極側に、アノード側が第１電解コンデンサー２の負極側に接続されている。アノードに負、カソードに正の電圧がかかると、即ち、第１電解コンデンサー２にとって順方向の電圧がかかると、第１ダイオード４の抵抗が無限大となるので、第１ダイオード４側に電流が流れず、第１電解コンデンサー２側に電流が流れる。第１電解コンデンサー２は電荷を蓄え、所定の静電容量に達すると、電荷を放出する。逆に、アノードに正、カソードに負の電圧がかかると、即ち、第１電解コンデンサー２にとって逆方向の電圧がかかると、第１ダイオード４の抵抗が０となるので、第１ダイオード４側に電流が流れて第１電解コンデンサー２側に電流が流れず、逆方向の電圧がかからない。このように、第１電解コンデンサー２に逆方向の電圧がかからないようにする第１ダイオード４が並列に接続されているので、第１電解コンデンサー２は第１ダイオード４により保護されて絶縁破壊を起こさない。その結果、ダミー管全体の耐久性が保障される。
【００３１】
同様に、第２ダイオード５は第２電解コンデンサー３と並列に接続されている。第２ダイオード５のカソード側が第２電解コンデンサー３の正極側に、アノード側が第２電解コンデンサー３の負極側に接続されている。アノードに負、カソードに正の電圧がかかると、即ち、第２電解コンデンサー３にとって、正方向の電圧がかかると、第２ダイオード５の抵抗が無限大となるので、第２ダイオード５側に電流が流れず、第２電解コンデンサー３側に電流が流れる。第２電解コンデンサー３は電荷を蓄え、所定の静電容量に達すると、電荷を放出する。逆に、アノードに正、カソードに負の電圧がかかると、即ち、第２電解コンデンサー３にとって逆方向の電圧がかかると、第２ダイオード５の抵抗が０となるので、第２ダイオード５側に電流が流れて第２電解コンデンサー３側に電流が流れず、逆方向の電圧がかからない。このように、第２電解コンデンサー３に逆方向の電圧がかからないようにする第２ダイオード５が並列に接続されているので、第２電解コンデンサー３は第２ダイオード５により保護されて絶縁破壊を起こさない。その結果、ダミー管全体の耐久性が保障される。
【００３２】
また、第１電解コンデンサー２と第２電解コンデンサー３は同じ特性を有する。第１ダイオード４と第２ダイオード５は、同じＣ−Ｖ特性（「容量−電圧」特性）を有する。第１，第２電解コンデンサー２，３は、互いに極性を逆にして直列に接続されている。図３においては、電解コンデンサー２，３の負極同士が接続されている。
【００３３】
加えて、第１電解コンデンサー２及び第１ダイオード４の組を保護するための抵抗を第１電解コンデンサー２及びと第１ダイオード４の組の上流側に、第２電解コンデンサー３及び第２ダイオード５の組を保護するための抵抗を第２電解コンデンサー３及び第２ダイオード５の組の上流側に、それぞれ設けても良い。
【００３４】
図２において、温度フューズ７は、通電回路２１の導線１の発熱温度が閾値以上になった場合に断線して、通電回路２１を過熱による破壊から防止している。温度フューズ７は、通電回路２１の何処に設けても良いが、電流がこの回路に流出入する第３コンタクピン１１ｃ近辺に配置するのが好ましい。
【００３５】
また、上述した２つの抵抗及び温度フューズ７は通電回路２１に含まれる場合に限定されない。第１、第２電解コンデンサー２，３や通電回路２１を保護する目的であれば、別の手段を構成する回路に設けられていても良い。
【００３６】
図２の回路基板１０、電池３３ａ，３３ｂ、白色ＬＥＤ４８ａ〜４８ｄ及びスイッチ６１は、回路図である図３において、電源回路３１、点灯回路４１、光量検出回路５１、スイッチ６１として図示される。
【００３７】
電源回路３１は、ダイオードブリッジ３２と、電池３３ａ，３３ｂと、カーボン抵抗３４とを含む。ダイオードブリッジ３２は入力側が第１、第２コンタクトピン１１ａ，１１ｂに接続され、第１、第２コンタクトピン１１ａ，１１ｂから供給される約３Ｖの商業用交流電流を全波整流して、交流電流を直流電流に変換する。ダイオードブリッジ３２は、例えば１００Ｖ／１Ａである。電池３３ａ，３３ｂは、例えば１．２５Ｖ×２・２セルのニカド電池であって、ダイオードブリッジ３２の出力側に直列に接続され、ダイオードブリッジ３２によって直流に変換された電気を充電し、充電した電気を光量検出回路５１へ、更には光量検出回路５１の下流に設けられた点灯回路４１へ放電する。従って、停電時に点灯回路４１に設けられた白色ＬＥＤ４８ａ〜４８ｄを点灯させることが可能である。カーボン抵抗３４は、数Ωであって、ダイオードブリッジ３２と電池３３ａ，３３ｂとの間に設けられて、電池３３ａ，３３ｂを保護している。
【００３８】
光量検出回路５１は、Ｃｄｓセル５２と、可変抵抗５３と、バイポーラ型トランジスタ５４とを含む。Ｃｄｓセル５２の電流入力側は、電源回路３１の高電位（正極）側と点灯回路４１とを接続する導線から分岐した導線に接続され、Ｃｄｓセル５２の電流出力側は、可変抵抗５３の電流入力側に接続されている。可変抵抗５３の電流出力側は、電源回路３１の低電位（負極）側に接続されている。バイポーラ型トランジスタ５４のベースはＣｄｓセル５２と可変抵抗５３を接続する導線から分岐した導線に接続されている。バイポーラ型トランジスタ５４のエミッタは、電源回路３１の低電位（負極）側に接続されている。バイポーラ型トランジスタ５４のコレクタは、点灯回路４１のバイポーラ型トランジスタ４５ａのベースに接続されている。
【００３９】
Ｃｄｓセル５２は、周囲の光量によって抵抗値が変化する光センサである。例えば、Ｃｄｓセル５２として暗闇での抵抗値が約１００ｋΩ、明るい時の抵抗値が約５ｋΩのものが挙げられる。可変抵抗５３の抵抗値は、適当な量の電流がバイポーラ型トランジスタ５４のベースに流れるように調整されている。可変抵抗５３の抵抗値は例えば、１０ｋΩである。バイポーラ型トランジスタ５４はスイッチ素子として機能し、Ｃｄｓセル５２の抵抗値が所定値より高いとオフとなり、所定値より低いとオンとなる。例えば、バイポーラ型トランジスタ５４としては、２ＳＣ２４５８が挙げられる。
【００４０】
具体的には、明るい時、Ｃｄｓセル５２の抵抗値が約５ｋΩと低いため、電源回路３１からの電流の殆どはＣｄｓセル５２及び可変抵抗５３を介して電源回路３１に戻る。一方、Ｃｄｓセル５２及び可変抵抗５３間から分岐した微弱電流がバイポーラ型トランジスタ５４のベースに流れ、バイポーラ型トランジスタ５４のコレクタとエミッタ間は、通電状態（オン状態）となる。バイポーラ型トランジスタ５４のコレクタは、点灯回路４１のバイポーラ型トランジスタ４５ａのベースに接続されているので、電源回路３１からＣｄｓセル５２を通らずに、点灯回路４１に流入して発生した若干の電流を、オン状態となったバイポーラ型トランジスタ５４を介して点灯回路４１から電源回路３１に戻すことで、バイポーラ型トランジスタ４５ａのベースに上述した若干の電流が流れないようして、後述する点灯回路４１のブロッキング発振を防止する。
【００４１】
暗闇において、Ｃｄｓセル５２の抵抗値が約１００ｋΩと高くなるため、電源回路３１からの電流は点灯回路４１へと流れる。バイポーラ型トランジスタ５４のベースに電流が流れないため、バイポーラ型トランジスタ５４のコレクタとエミッタ間は、不通となりオフ状態となる。このように、Ｃｄｓセル５２及びＣｄｓセル５２の抵抗値に基づいてオン・オフするバイポーラ型トランジスタ５４により、光量検出回路５１は電池３３ａ，３３ｂからの電流を点灯回路４１に通電或いは遮断するスイッチの役割をする。
【００４２】
点灯回路４１は、ブロッキング発振回路であって、チョークコイル４２と、電解コンデンサー４３と、カーボン抵抗４４と、バイポーラ型トランジスタ４５ａ，４５ｂと、ショットキーバリアダイオード４６と、電解コンデンサー４７と、複数の白色ＬＥＤ４８ａ〜４８ｄと、カーボン抵抗４９ａ,４９ｂとを含む。チョークコイル４２の一次側が、光量検出回路５１を介して電源回路３１に接続されている。チョークコイル４２の二次側の一方の端子（高電位側端子）がショットキーバリアダイオード４６を介して白色ＬＥＤ４８ａ〜４８ｄに接続されている。電解コンデンサー４３は、チョークコイル４２の一次側で、チョークコイル４２と並列に接続されている。
【００４３】
ＬＥＤ４８ａとＬＥＤ４８ｂとカーボン抵抗４９ａは直列に、ＬＥＤ４８ｃとＬＥＤ４８ｄとカーボン抵抗４９ｂは直列に接続されている。ＬＥＤ４８ａ・ＬＥＤ４８ｂ・カーボン抵抗４９ａと、ＬＥＤ４８ｃ・ＬＥＤ４８ｄ・カーボン抵抗４９ｂと、電解コンデンサー４７とは、並列に接続されている。ＬＥＤ４８ａ及びＬＥＤ４８ｃのアノード側及び電解コンデンサー４７の電流入力側がショットキーバリアダイオード４６を介してチョークコイル４２の二次側の一方の端子（高電位側端子）に接続されている。カーボン抵抗４９ａ、４９ｂ及び電解コンデンサー４７の電流出力側が、電源回路３１の低電位（負極）側に接続されている。
【００４４】
ショットキーバリアダイオード４６よりもチョークコイル４２の二次側（上流側）で、バイポーラ型トランジスタ４５ａのコレクタが高電位側（チョークコイル４２の二次側の一方の端子側）に、エミッタが電源回路３１の低電位（負極）側に接続されている。      チョークコイル４２の二次側の他方の端子（低電位側端子）とバイポーラ型トランジスタ４５ａのベースが、カーボン抵抗４４を介して接続されている。バイポーラ型トランジスタ４５ｂのベースが、ＬＥＤ４８ｂとカーボン抵抗４９ａ間から分岐した導線に接続されている。バイポーラ型トランジスタ４５ｂのコレクタが、バイポーラ型トランジスタ４５ａのベースに接続されている。バイポーラ型トランジスタ４５ｂのエミッタが、電源回路３１の低電位（負極）側に接続されている。
【００４５】
電解コンデンサー４３は、チョークコイル４２の一次側へ流入される電流を保障している。チョークコイル４２は一次側に流入してきた電流の電圧を昇圧して二次側に出力する変圧器である。カーボン抵抗４４は、バイポーラ型トランジスタ４５ａのベースに流れる電流を調整してバイポーラ型トランジスタ４５ａを保護する。バイポーラ型トランジスタ４５ａは、スイッチ素子として機能し、光量検出回路５１のバイポーラ型トランジスタ５４がオフ状態となり、チョークコイル４２からバイポーラ型トランジスタ４５ａのベースに電流が流れると、コレクタとエミッタ間が導通してオン状態となる。その結果、ブロッキング発振回路である点灯回路４１はブロッキング発振し、ＬＥＤ４８ａ〜４８ｄが点灯する。また、光量検出回路のバイポーラ型トランジスタ５４がオンになるとバイポーラ型トランジスタ４５ａはオフ状態となる。ショットキーバリアダイオード４６は、逆回復特性に優れたダイオードであり、チョークコイル４２の二次側に設けられて、チョークコイル４２によって昇圧された電流を整流する。電解コンデンサー４７は、白色ＬＥＤ４８ａ〜４８ｄへと流入する電流を平滑化する。白色ＬＥＤ４８ａ〜４８ｄは点灯手段である。白色ＬＥＤ４８ａ〜４８ｄはエネルギー効率が良いため、ダミー管に供給される約３Ｖの商業用交流電流を用いて点灯させる点灯手段として好適である。カーボン抵抗４９ａ,４９ｂは、電源回路３１へと戻る電流の電圧を調整する。バイポーラ型トランジスタ４５ｂは、バイポーラ型トランジスタ４５ａにフィードバッグをかけて回路電圧を一定に保つ素子として機能する。具体的には、抵抗値３３Ωのカーボン抵抗４９ａの両端間の電圧を常に０．７Ｖの一定値にするように調整されている。
【００４６】
具体的な各素子として次のようなものが挙げられる。電解コンデンサー４３、４７として、静電容４７μＦ・１６Ｖのものが挙げられる。チョークコイル４２としては、コレクタ巻き線３５Ｔセンタータップで、ベース巻き線３５Ｔのものが挙げられる。カーボン抵抗４４として６８０Ω・１／４Ｗのものが挙げられる。バイポーラ型トランジスタ４５ａとしては、２ＳＣ３２７９が挙げられる。ショットキーバリアダイオード４６としては、ＩＧＷＪ４３が挙げられる。バイポーラ型トランジスタ４５ｂとしては、２ＳＣ２４５８が挙げられる。カーボン抵抗４９ａ,４９ｂとしては、３３Ω・１／４Ｗのものが挙げられる。
【００４７】
上記構成の点灯回路４１は、ブロッキング発振回路であり、スイッチ素子として機能するバイポーラ型トランジスタ４５ａにより、光量検出回路５１のバイポーラ型トランジスタ５４がオフの間はブロッキング発振して白色ＬＥＤ４８ａ〜４８ｄを通電させ、光量検出回路５１のバイポーラ型トランジスタ５４がオンの間はブロッキング発振を停止して白色ＬＥＤ４８ａ〜４８ｄへの通電を遮断する。
【００４８】
スイッチ６１は、電源回路３１と光量検出回路５１との間に設けられて、前述の電池３３ａ，３３ｂから放電される電気の光量検出回路５１への供給を強制的にオン・オフする。スイッチ６１は人間のマニュアル操作によって切り替えられ、ダミー管２０を持ち運ぶ時や、故意に白色ＬＥＤ４８ａ〜４８ｄを点灯させたくない時にオフ状態にされ、白色ＬＥＤ４８ａ〜４８ｄを点灯させたい時にオン状態にされる。
【００４９】
図４は図１（ａ）で示した二灯直列逐次始動形の蛍光灯器具の回路図の一例である。図４において、符号８０は安定器、Ｔは安定器８０に含まれる変圧器、Ｔ０は安定器８０に含まれる磁気洩れ変圧器、符号７０はソケット２５，２５間及びソケット２６，２６間に電圧をかけるための電圧印加回路、符号７１は蛍光管３０の電極を加熱するための加熱回路、Ｆは蛍光管３０の電極を構成するフィラメント、Ｃはコンデンサー、Ｒは抵抗である。
【００５０】
一方の対のソケット２５，２５間には蛍光管３０が、他方の対のソケット２６，２６間にはダミー管２０がセットされている。ダミー管２０の通電回路２１は電圧印加回路７０間を通電させている。
【００５１】
ソケット２５，２６には、電圧印加回路７０を接続するための孔２５ａ，２６ａと、加熱回路７１を接続するための孔２５ｂ，２６ｂがそれぞれ設けられている。ダミー管２０が備える通電回路２１は、対向する他方の対のソケット２６，２６間を通電させればよいので、基本的には、ソケット２６のどの孔に通電回路２１の第１コンタクトピン１１ａ或いは第３コンタクトピン１１ｃを挿入してもよい。好ましくは、電圧印加回路７０を接続するための孔２６ａ，２６ａに第１コンタクトピン１１ａ及び第３コンタクトピン１１ｃを挿入する。
【００５２】
次に、通電回路２１の通電動作を図３を参照しつつ説明する。
【００５３】
矢印Ａ方向に電流が流れるように第１コンタクトピン１１ａ、第２コンタクトピン１１ｃ間に電圧が印加されると、第１ダイオード４は抵抗が無限大となり、第２ダイオ−ド５は抵抗がゼロとなるので、電流は第１電解コンデンサー２、第２ダイオード５へと流れる。第２電解コンデンサー３へは逆方向の電圧がかからない。矢印Ｂ方向に電流が流れるように第１コンタクトピン１１ａ、第２コンタクトピン１１ｃ間に電圧が印加されると、第２ダイオード５は抵抗が無限大となり、第１ダイオ−ド４は抵抗がゼロとなるので、電流は第２電解コンデンサー３、第１ダイオード４へと流れる。第１電解コンデンサー２へは逆方向の電圧がかからない。従って、一般に供給される商業用交流電流を使用しても、電解コンデンサーの特性は損なわれることない。その結果、ダミー管２０には固有周波数で極性が反転する商業用交流電流を常に好適に流すことができる。
【００５４】
尚、本実施形態では、電解コンデンサー２，３の負極同士が接続された直列接続となっているが、正極同士が接続された直列接続としてもよい。この場合も、第１ダイオード４のカソード側が第１電解コンデンサー２の正極側に、アノード側が第１電解コンデンサー２の負極側に接続されるように、第１ダイオード４は第１電解コンデンサー２と並列に接続される。同様に、第２ダイオード５のカソード側が第２電解コンデンサー３の正極側に、アノード側が第２電解コンデンサー３の負極側に接続されるように、第２ダイオード５は第２電解コンデンサー３と並列に接続される。
【００５５】
次に、電源回路３１、点灯回路４１、光量検出回路５１、スイッチ６１の通電動作を図３を参照しつつ説明する。
【００５６】
まず、スイッチ６１がオンの状態であることを前提に説明する。蛍光管３０が点灯している時は、Ｃｄｓセル５２の抵抗は約５ｋΩであって、Ｃｄｓセル５２は通電し、バイポーラ型トランジスタ５４はオン状態となり、バイポーラ型トランジスタ４５ａはオフ状態となるため、点灯回路４１のブロッキング発振は停止している。この間、電池３３ａ，３３ｂからの放電は行われず、電池３３ａ，３３ｂへの充電が行われる。ところが、蛍光管３０が消灯してダミー管２０の周囲、特にＣｄｓセル５２の周囲が暗くなり、Ｃｄｓセル５２が検出する光量が所定値以下になると、Ｃｄｓセル５２の抵抗値が約１００ｋΩとなって、Ｃｄｓセル５２への通電は遮断され、バイポーラ型トランジスタ５４はオフ状態となる。そうなると、バイポーラ型トランジスタ４５ａはオン状態となり、電池３３ａ，３３ｂに充電されていた電気が放電されて、チョークコイル４２、ショットキーバリアダイオード４６、白色ＬＥＤ４８ａ〜４８ｄの順に流れ、点灯回路４１のブロッキング発振が行われる。これにより、白色ＬＥＤ４８ａ〜４８ｄは点灯する。
【００５７】
一方、スイッチ６１がオフの状態では、電池３３ａ，３３ｂから放電された電気は白色ＬＥＤ４８ａ〜４８ｄを通電しないため、例え周囲が暗闇であっても白色ＬＥＤ４８ａ〜４８ｄは点灯しない。
【００５８】
次に、上記の構成における二灯直列逐次始動形の蛍光灯器具１００の作動について、図４を用いて説明する。
【００５９】
蛍光灯器具１００の一方の対のソケット２５，２５間に蛍光管３０を、他方の対のソケット２６，２６間にダミー管２０をそれぞれセットする。これによりダミー管２０がセットされたソケット２６，２６間が通電可能な状態となる。
【００６０】
図示しない蛍光灯器具１００のスイッチを入れると、交流電流が蛍光灯器具１００に印加される。これにより、ダミー管２０に約３Ｖの交流電流が流れ、ダミー管２０と直列に接続する蛍光管３０は好適に点灯する。また、ソケット２６，２６間が通電している間は、ダミー管２０に内蔵された電池（図示せず）に約３Ｖの電気が充電される。蛍光管３０の点灯により、周囲の光量が所定値よりも大きくなるため、電池から白色ＬＥＤ４８ａ〜４８ｄへの放電は行われず、白色ＬＥＤ４８ａ〜４８ｄは点灯しない。蛍光管３０が発する光は反射板（図示せず）により好適に拡散され、床へと降り注ぐ。一方、図示しない蛍光灯器具１００のスイッチを切ると、蛍光管３０は消灯する。周囲の光量が所定値よりも小さい時には、ダミー管２０に内蔵された電池から白色ＬＥＤ４８ａ〜４８ｄへ約３Ｖの電気が放電されることにより、ダミー管２０の外装を成す管（図示せず）に凸設された白色ＬＥＤ４８ａ〜４８ｄが点灯して、周囲を明るく照らす。
【００６１】
以上のように、本実施形態のダミー管は電解コンデンサーを使用し、一般に供給される交流電流を常時ダミー管に通電することで、直列式の二灯用蛍光灯器具に装着された一灯の蛍光管を好適に点灯させることが可能な構成にされている。また、ダイオードにより電解コンデンサーに逆方向の電圧がかからないようにされているため、ダミー管の耐久性が保障される。更に、停電等の周囲の暗転に伴って白色ＬＥＤが所定時間点灯して周囲を照らすため、最低でも周囲の状況が認識できる程度の視界を得ることができる。また、白色ＬＥＤは光センサであるＣｄｓセルが検出した光量に基づいて自動で点灯されるため、人間によるマニュアル操作を必要とせず、便利である。
【００６２】
また、本発明を好適な実施の形態に基づいて説明したが、本発明はその趣旨を超えない範囲において変更が可能である。即ち、電気の充電を電池で行う構成としたが、電池に代えて二重層キャパシタを使用する構成であっても良い。また、太陽電池によって充電する構成とすれば、商業用交流電流を充電に使用する必要がなく、省エネが図れる。
【００６３】
また、白色ＬＥＤを用いる構成としたが、この構成に限定されるものではなく、電球等の点灯器具を用いることも可能である。
【００６４】
また、図２において、白色ＬＥＤ４８ａ〜４８ｄは管１４に凸設される構成としたが、この構成に限定されるものではなく、白色ＬＥＤ４８ａ〜４８ｄは管１４内部に設けられて、管１４に穿孔された、白色ＬＥＤ４８ａ〜４８ｄにそれぞれ対向する穴から光を放出する構成であっても良い。また、白色ＬＥＤ４８ａ〜４８ｄが口金部１２近傍に連なって設けられる構成としたが、この構成に限定されるものではなく、管１４の長手方向に等間隔で設けられる構成であっても良い。
【図面の簡単な説明】
【００６５】
【図１】（ａ）は本発明の実施形態に係る蛍光灯器具の仰視図であり、（ｂ）は（ａ）のＡ−Ａ’断面図である。
【図２】本発明の実施形態に係るダミー管の断面図である。
【図３】本発明の実施形態に係るダミー管の回路図である。
【図４】二灯直列逐次始動形の蛍光灯器具の回路図の一例である。
【符号の説明】
【００６６】
１    導線
２    第１電解コンデンサー
３    第２電解コンデンサー
４    第１ダイオード
５    第２ダイオード
７    温度フューズ
１０    回路基板
１１ａ〜１１ｄ    第１〜第４コンタクトピン
１２，１３    口金部
１４    管
１５    耐熱チューブ
２０    ダミー管
２１    通電回路
２４    かさ部
２５，２６    ソケット
２７    磁石
２８    反射板
３０    蛍光管
３１    電源回路
３２    ダイオードブリッジ
３３ａ，３３ｂ    電池
３４    カーボン抵抗
４１    点灯回路
４２    チョークコイル
４３    電解コンデンサー
４４    カーボン抵抗
４５ａ，４５ｂ    バイポーラ型トランジスタ
４６    ショットキーバリアダイオード
４７    電解コンデンサー
４８ａ〜４８ｄ    白色ＬＥＤ（点灯手段）
４９ａ，４９ｂ    カーボン抵抗
５１    光量検出回路
５２    Ｃｄｓセル
５３    可変抵抗
５４    バイポーラ型トランジスタ
６１    スイッチ
７０    電圧印加回路
７１    加熱回路
８０    安定器
１００    蛍光灯器具
【図１】
2006012674.tif 000003
【図２】
2006012674.tif 000004
【図３】
2006012674.tif 000005
【図４】
2006012674.tif 000006